(57)【要約】  本発明は、建物用の、床パネル及び壁パネルのような種々の構造体、並びに手すりのような内部構造体を形成するための構造的カップリングに関する。本発明の構造的カップリングは、カップリング脚構造（２）及び締め付けフランジ（Ｆ）を備えている構造的要素（単数又は複数）（１）、並びにチャネル部分（８）からなり、構造的要素（１）の脚構造（２）をチャネル部分（８）とスナップ式に係合させることによりひとつの構造的要素が他の構造的要素と相互接続される。これは、構成要素をともに固定するのにボルトとナットを必要とする従来技術を越える大きな利点である。スナップ式の作用により係合可能な共通のチャネル部分を使用することによって、従来のシステムのような直接的なやり方よりも、構造的要素を結合する的確で制限のない方法が提供される。【選択図】  図１
2007505240.tif 000002
【特許請求の範囲】
【請求項１】
カップリング脚構造及び、組み立てられた場合に対向する少なくとも一対の当該カップリング脚構造上の締め付けフランジを備えている構造体要素（単数又は複数）と、
その側面が前記カップリング脚構造の対とそれぞれ係合するように適合されている接続チャネル部分と、
前記構造体要素の脚構造を前記チャネル部分にスナップ式に係合し、前記構造体要素（単数又は複数）を固定するための手段とからなる構造的カップリング。
【請求項２】
前記スナップ式に係合する手段が、前記チャネル部分に挿入されると曲がる前記脚構造の弾力のある脚構造を含み、及びその中に完全に挿入されると、前記脚構造を前記チャネル部分とスナップ式に係合し得る前記脚構造と前記チャネル部分の間の共働手段を含む請求項１記載の構造的カップリング。
【請求項３】
前記共働手段が、前記チャネル部分の相補的な凹所と係合するとともに前記脚構造に形成されている球根状の構造を含む請求項２記載の構造的カップリング。
【請求項４】
前記スナップ式に係合する手段が、前記チャネル部分の締め付け構成体及び、その締め付け構成体と前記締め付けフランジとスナップ式に係合するクリップ式固定具を含む請求項１記載の構造的カップリング。
【請求項５】
前記チャネル部分の締め付け構成体が、前記チャネル部分の基部の内側表面に形成されている請求項４記載の構造的カップリング。
【請求項６】
前記締め付け構成体が、盛り上がり部分を含んであり、前記チャネル部分に沿って一対のチャネル凹所をもたらす請求項５記載の構造的カップリング。
【請求項７】
前記脚構造の対向して対をなすものの前記締め付けフランジが、締め付けリブを形成する内側に曲がる端部を含み、前記クリップ式固定具が、前記締め付けリブとチャネル凹所とそれぞれスナップ式に係合して前記カップリングを固定する可撓性の返しを有する請求項６記載の構造的カップリング。
【請求項８】
前記脚構造に結合スロットが設けられ、それによって前記脚構造の対が対向する関係にあるとき、前記チャネル部分の側部が前記結合スロットとそれぞれ係合する請求項１から７のいずれか一項記載の構造的カップリング。
【請求項９】
前記脚構造の対向する対が、並んだ関係で配置されている一連の堅いシート又はパネルの側部端部であり、床又は屋根のような構造の一部を形成し、前記チャネル部分の側部が前記結合スロットに適合され、それによって前記チャネル部分及び前記堅いシート又はパネルの基部壁が同じ面内に配置される請求項１から８のいずれか一項記載の構造的カップリング。
【請求項１０】
前記脚構造の対が、支柱を形成する二重の壁チャネルの内側の壁部を形成し、前記結合スロットが、前記内側の壁部の間に形成され、並んだ関係で配置されている一連の堅いシート又はパネルの側部端部に形成されている前記脚構造と接続されている前記チャネル部分の側部壁を受容し、壁パネルのような構造の一部を形成する請求項１から８のいずれか一項記載の構造的カップリング。
【請求項１１】
前記構造体要素が、細長い横棧からなり、この横棧の側部端部に前記脚構造が形成され、前記脚構造が、それぞれその内側壁に対向して隣接する前記チャネル部分内に保持され、前記横棧を閉鎖し、内側輪郭コアに前記横棧を固定するように機能する請求項１から８のいずれか一項記載の構造的カップリング。
【請求項１２】
添付の図面を参照し、添付の図面に図解されている本明細書において開示されている構造的カップリング。
【発明の詳細な説明】
【技術分野】
【０００１】
本発明は、建物用の、床パネル及び壁パネルのような種々の構造体、並びに手すりのような内部構造体を形成するための構造的カップリングに関する。
【背景技術】
【０００２】
種々の構造体を形成するためのユニストラットチャネルが公知である。
【０００３】
ユニストラットシステムは、使用される鋼の厚み及び全体的な輪郭の高さのみが変化し、もっぱら鋼から製造されているチャネル部分を使用する。実際にユニストラットチャネルは、単独で利用され、あるいは種々の配列で同じ部分のひとつもしくはそれ以上の区画に又は連続する薄い鋼板に溶接されて、多様な範囲の鋼製の構造的輪郭を示すが、目に触れない接続部はユニストラットのボルト及びナットを使用して形成される。
【０００４】
一連の平坦で折り曲げられ、予め穿孔された鋼板が、ユニストラットシステムで利用され、異なる仕方でチャネルを接続して枠組み構造を作り出す。
【０００５】
チャネルがケーブルトレイ又は導管用の支持体が設けられるように、また接続金具が利用される。
【０００６】
概して、ユニストラットチャネルは、接続部間で開放されたままであるが、平坦な閉鎖ストリップが利用される。これは連続的な部分にすぎず、ユニストラットチャネルに利用されるが、それ自体チャネル形状でなく、接続部を形成するのに利用されない。
【０００７】
またユニストラットシステムは、トラス構造及び立体骨組みを作り出すのに利用されるが、目に触れない取付部が形成される。
【０００８】
ユニストラットシステムは枠組み及び不連続な表面を形成するのに使用され、それらを支持するのに利用される。
【０００９】
ユニストラットのナットはユニストラットチャネルの範囲でのみ適合し、適した形状で利用され、他の輪郭を取り囲んで形成するには、融通が利かなさすぎる。
【００１０】
ユニストラットシステムの問題は、上述した理由に対して実際に製造することができる構造体に関してその利用が制限されていることにある。
【発明の開示】
【発明が解決しようとする課題】
【００１１】
本発明の課題は、ユニストラットシステムのような枠組みを形成するのに、互いを同じ輪郭で接続する必要性を排除し、むしろ共通のチャネル輪郭を介して輪郭を接続する可能性に関する。本発明の方法では、例えば２つのパネルは、互いに直接的にではなく、別個の輪郭に接続され、それによって共通のチャネルが、例えば全ての接続箇所で補強された支柱を備える連続した壁の構造物を容易に接続し、目に触れない固定部が形成される。
【課題を解決するための手段】
【００１２】
本発明の一局面によれば、カップリング脚構造及び、組み立てられた場合に少なくとも一対の対向するそのカップリング脚構造上の締め付けフランジを備えている構造体要素（単数又は複数）と、その側面が一対の対向するカップリング脚構造とそれぞれ係合するように適合されている接続チャネル部分と、構造体要素の脚構造をチャネル部分にスナップ式に係合し構造体要素（単数又は複数）を固定するための手段とからなる構造的カップリングが提供される。
【００１３】
構造体要素（単数又は複数）の２つの脚構造が向かい合った関係にある場合に、チャネル部分の側面がそれぞれの結合スロット内にうまく嵌るように、脚構造に結合スロットが設けられていることが有利である。
【００１４】
本発明のカップリングは、床構造又は梁構造を形成するのに利用される。この場合、構造的要素が、隣接するパネルの脚構造に向かい合う関係で、パネルの一方の端部に沿った脚構造と隣り合う関係で組み立てられた堅いパネルの形状であることが好ましい。チャネル部分の側部が、チャネル部分の基部及び堅いパネルが同じ平面内にあるように係合されるように、結合スロットが形成されていることが好ましい。
【００１５】
本発明の他の局面によれば、カップリング脚構造及び、組み立てられた場合に少なくとも一対の対向するそのカップリング脚構造上の締め付けフランジを備えている構造体要素（単数又は複数）と、その側部が一対の対向するカップリング脚構造とそれぞれ係合するように適合されている接続チャネル部分と、チャネル部分の締め付け構成体と、締め付け構成体及び締め付けフランジとスナップ式に係合して構造体要素（単数又は複数）を固定するクリップ式取付具とからなる構造的カップリングが提供される。
【００１６】
本発明の他の特徴及び利点は、添付の図面を参照する本発明の好適な実施形態の以下の説明から明らかとなるであろう。
【発明を実施するための最良の形態】
【００１７】
本発明をより理解するために、また本発明が如何に実施されるかを示すために、さらに添付の図面を一例として参照する。
【００１８】
図１は、要件に適用するように種々の幅及び長さを有する２つの床パネルを接続するのに使用される本発明を示す。
【００１９】
パネル１は、開放箱形構造３を形成するように、そのパネルの下側表面に沿って間隔をおいて配置されている一対の堅いＬ字型脚部２を有する。
【００２０】
パネル１の対向する端部には結合スロット４が設けられている。
【００２１】
結合スロット４は、パネル１の壁部分５及びパネル１の端部の脚部２の上部の垂直方向の広がり２'に依存して垂直方向に短く形成され、垂直方向の広がり２'は結合スロット４の基部を形成する短い水平方向の壁部分７によって短い壁部分５から隔置されている。端部の脚部２の垂直方向の広がり２'には、締め付けリブ構造Ｒを備えている内側に曲がった締め付けフランジＦが設けられている。
【００２２】
結合スロット４のそれぞれの基部を形成する短い水平方向の壁部分７から端部の脚部２の垂直方向下方への広がりは、脚部２の垂直方向への広がりに等しいが、上部の広がり２'は、床パネル１の厚みに等しい距離によって、短い垂直方向に延伸する壁部分５よりも短い。
【００２３】
チャネル部分８の壁部はそれぞれ、示すように対向する２つの床パネル１の結合スロット４に係合し、チャネル部分８の基部の厚みは、結合スロット４の壁部分２'、５の長さの差に等しく、それによって２つの床パネル１の間の接続箇所を越えて連続した平坦な表面が形成される。
【００２４】
チャネル部分８の基部には、盛り上がり部分９が設けられ、その盛り上がり部分９の中央線の両側に２つの突出した構造10が設けられ、この突出部分10は、示すようにチャネル部分８の基部において、その後方の広がり、チャネル凹所11で画定されている。
【００２５】
押出により形成されているスナップ式取付具12は、さらに結合スロット４内でチャネル部分８をしっかりと固定するのに利用され、スナップ式取付具12は、示すようにチャネル凹所11及びリブ構造Ｒと係合する可撓性の返し13を有し、結合スロット４内で万力のように把持してチャネル部分８を保持する。
【００２６】
図２に示す壁パネルは、図１を参照して説明したのと同じ仕方でチャネル部分８を利用する。
【００２７】
図２では、チャネル部分８は壁パネル用の壁の支柱組立体を全面的に使用する。
【００２８】
壁パネルは、側部端の脚構造15を有する一連の堅い平坦なパネル14を形成し、脚構造の端部には、示すように、適合する密封ガスケット17用の円形の凹所16が設けられている。
【００２９】
壁の支柱は、二重の壁チャネル18の形状であり、二重の壁の間の間隙は結合スロット19を形成する。
【００３０】
二重の壁チャネル18の内側の壁脚構造Ｌには、締め付けリブＲ'を画定する内側に曲がる締め付けフランジＦ'が設けられている。
【００３１】
チャネル部分８の側部壁とともに壁パネル14の側部端の脚構造15は、チャネル18の内側の壁脚構造と圧力接触する密封ガスケット17により、壁支柱18を形作るチャネルの結合スロット19内でぴったりと嵌る関係で適応されている。
【００３２】
図２の実施形態のように、さらにスナップ式取付具12は、チャネル凹所11とリブ構造Ｒ'を係合して結合スロット19内で万力のように把持して壁パネルの脚部に脚構造Ｌとともにチャネル部分８を保持する可撓性の返し13の係合により、結合スロット19内でチャネル部分８をしっかりと固定するのに利用される。
【００３３】
示すように、組み立てられると、チャネル部分８の外側の基部壁が、壁パネルの外側表面として同じ平面に配置され、組立体に連続した仕上がりがもたらされるように設計されている。
【００３４】
本発明はまた、図３に示すように手すりのような横木を構成するのに利用される。
【００３５】
手すり20は、本発明の共通のチャネル部分８によって閉鎖され、示すように内側の管状コア22を取り囲む本質的にＵ字型の輪郭21を有する。これにより、組立加工業者は、手すり内に接続箇所を形成し、又は如何なる角度においても固定することができる角部分に接続することができる。
【００３６】
横木20を閉鎖するために、そのＵ字型の輪郭21の端部には、図１及び２に示す実施形態の脚構造２'と同じ脚構造Ｅが設けられ、内側に曲がる締め付けフランジＦ"及び締め付けリブＲ"が設けられている。
【００３７】
チャネル部分８の内側寸法は、示すように脚構造Ｅがチャネル部分８に配置されると、チャネル部分８の壁部によって、コア22の周囲に輪郭21が密接させられるような寸法である。
【００３８】
したがって形成されているカップリングは、図１及び２に示す実施形態のように、クリップ取付具12及び相互係合返し13を利用して、それぞれリブＲ"及び突出部分10とともにしっかりと保持されている。
【００３９】
図１から３の実施形態のそれぞれに対して、目に触れない固定部を、図２の壁支柱組立体を参照して示す図４に明瞭に図示するように容易に形成することができる。
【００４０】
目に触れない固定部は、締め付けリブＲ'を橋渡しし又は掛け渡してチャネル部分８の壁部の間の空間を占有する締め付けナット23を含む。ナット23は、部分８の基部を貫通するねじ付きボルト24と係合し、溝25を有するナット23は、ボルト24が完全に係合されると、リブＲ'を受容する溝部25を有する。引っ張りばね25が、使用されて、ナット23の組立を容易にする。
【００４１】
図５は、図４と同様の配列を示すが、図１、２、３の実施形態のスナップ式取付具12に対して、壁支柱組立体の二重の壁チャネル18を備えているチャネル部分８のスナップ式係合の代替的な形態を提供する変更された構成要素を備えている。
【００４２】
この実施形態では、脚構造Ｌは、引抜成形工程によって柔軟に形成され、締め付けフランジＦの下部角部に球根状の構造Ｂが設けられている。
【００４３】
相補的な構造Ｃが、チャネル部分８の底部角部に沿って設けられている。
【００４４】
脚構造Ｌは、チャネル部分８に導入された際に内側に曲げられ、球根状の構造Ｂが相補的な構造Ｃと相対して適所にスナップ式に嵌め込まれるように別々に隔置されている。
【００４５】
特別な構造的要素を備えているチャネル部分８の代替的なスナップ式係合の形態は、本明細書に開示する図１及び３の実施形態に示す配列に等しく適用して利用できることが、当業者には容易に理解されるであろう。
【００４６】
開示したように全ての実施形態において、各構造的カップリングが共通のチャネル部分８の使用を採用し、ユニストラットシステムのような直接的なやり方ではなく、構造的要素を結合する的確で制限のない方法をそれぞれ実現する。
【００４７】
これは、図１において、共通のチャネル部分８が、目に触れない固定部を形成する接続箇所を越えて連続した平坦な表面を備えている床パネルを製造するのに使用され、図２において、共通のチャネル部分８が、他の輪郭のチャネル形状を閉鎖し、それによって第３の輪郭を、全ての接続箇所において強化された支柱を備えている連続した壁を形成し、そこに目に触れない固定部が形成されるように使用されていることが明瞭に示されている。
【００４８】
最後に、共通のチャネル部分８を、図３に示すように、開放型の輪郭21を閉鎖するのに使用することができ、内側の輪郭16を弧状に形成し、手すり内において固定部を形成することができる。
【００４９】
本明細書に開示するような構築物は、引抜成形により製造されることが好ましい。
【００５０】
引抜成形は、機械を利用して繊維強化ポリマー製の輪郭を製造する工程である。繊維強化ポリマーは、軽量であり、耐腐食性を有し、鋼よりもより柔軟である。
【００５１】
引抜成形の輪郭は、鋼製の輪郭を模倣することにより市場を開発され、一連の標準規格の平坦な板、アングル、チャネル、Ｉ形ビーム、管を提供する。
【００５２】
特別注文の変形物として、隣接したパネルを重ね合わせることにより、又は完全な舌部及び溝付き接続部を使用することにより連続性をもたらす床パネル及び壁パネルが含まれる。
【００５３】
正方形の管を取り付けられた輪郭を切断し、接続することによって、手すりが製造されるが、鋼を曲げ、溶接することによって製造される多様な製品を欠いている。引抜成形は、溶接することができず、接続は、ナット及びボルト、目に触れないリベット、接着剤を使用して形成することを意図している。
【００５４】
本発明では、引抜成形工程におけるこれらの欠如は、本明細書で開示した好適な実施例を参照して開示するような共通のチャネル部分コネクタ８を利用することによって打開される。
【図面の簡単な説明】
【００５５】
【図１】床パネルの形状の、本発明による構造的カップリングの断面図である。
【図２】壁パネルを形成するために本発明を使用するさらなる構造的カップリングの断面図である。
【図３】手すりの形状の構造的カップリングとして本発明を利用することを示す図である。
【図４】図２の構造的カップリングの、目に触れない固定部を示す図である。
【図１】
2007505240.tif 000003
【図２】
2007505240.tif 000004
【図３】
2007505240.tif 000005
【図４】
2007505240.tif 000006
【図５】
2007505240.tif 000007
【国際調査報告】
2007505240.tif 000008
2007505240.tif 000009